(57)【特許請求の範囲】
【請求項１】
第１のユニットと、
第１のユニットの上方に設けられる第２のユニットと、
前記第１のユニットの下方に設置され、前記第１のユニットを介して前記第２のユニットと対面し、前記第１のユニットと前記第２のユニットに供給する外部信号を分配する回路基板と、
伸縮可能な部分を有する第１のフレキシブル基板であって、折り曲げられた状態で、前記第１のユニットの信号入力部と前記回路基板の接続部とを接続し、前記回路基板から前記第１のユニット用の前記外部信号を前記第１のユニットへ供給する第１のフレキシブル基板と、
折り曲げられた状態で、前記第２のユニットの信号入力部と前記回路基板の前記接続部とを接続し、前記回路基板から前記第２のユニット用の外部信号を前記第２のユニットへ供給する第２のフレキシブル基板と、
を含む液晶表示モジュールであって、
前記回路基板が前記第１のユニットの下方に設置される前に、前記第１のフレキシブル基板は伸張され、前記第２のフレキシブル基板とほぼ同じ長さで、前記第２のフレキシブル基板と共に前記回路基板の前記接続部に結合され、
前記回路基板が前記第１のユニットの下方に設置された後に、前記第１のフレキシブル基板は縮まり、前記第１のフレキシブル基板の折り曲げによる突出は、前記第２のフレキシブル基板の折り曲げによる突出とほぼ同じである
液晶表示モジュール。
【請求項２】
前記第１のフレキシブル基板における伸縮可能な部分は、コの字状、鋸歯状と、中空状、又は、ステージ状のいずれか、又は、これら形状の組み合わせからなる
請求項１に記載の液晶表示モジュール。
【請求項３】
前記第１のフレキシブル基板と前記第２のフレキシブル基板は、高分子材料、又は、ポリエステルからなる
請求項１に記載の液晶表示モジュール。
【請求項４】
前記第１のユニットは、当該液晶表示モジュールにおける液晶表示パネルであり、前記第１のフレキシブル基板に、前記液晶表示パネルに表示信号を送信する信号用配線が配設され、
前記第２のユニットは、当該液晶表示モジュールにおけるバックライトであり、前記第２のフレキシブル基板に、前記バックライトに電力を供給する電源用配線が配設される
請求項１に記載の液晶表示モジュール。
【請求項５】
前記第１のユニットは、当該液晶表示モジュールにおけるバックライトであり、前記第１のフレキシブル基板に、前記バックライトに電力を供給する電源用配線が配設され、
前記第２のユニットは、当該液晶表示モジュールにおける液晶表示パネルであり、前記第１のフレキシブル基板に、前記液晶表示パネルに表示信号を送信する信号用配線が配設される
請求項１に記載の液晶表示モジュール。
【発明の詳細な説明】
【技術分野】
【０００１】
本発明は液晶表示モジュールに関し、特に、伸長部を含むフレキシブル基板を有する液晶表示モジュールに関する。
【背景技術】
【０００２】
科学技術の目覚ましい発展に伴い、表示技術及び表示装置は情報技術の発展過程において非常に重要な地位を占めている。例えば、コンピュータ、テレビ、若しくは、移動電話、ポケットベル、ＰＤＡ(Personal Digital Assistant)などの携帯式機器、又は各種電子メータは、表示装置を用い、スクリーンに様々な情報を表示する。特に、液晶表示装置は、消費電力が低く、電磁放射が少なく、使うスペースが小さく、画質が高いなどの利点があり、平面型表示装置の主流となっている。
【０００３】
図１は発光ダイオード（ＬＥＤ）を光源とする液晶表示モジュール１を示す断面図である。液晶表示モジュール１は、液晶表示パネル１０、ＬＥＤバック光源２０、光源用フレキシブル基板（Flexible Printed Circuit Board: FPC）３０、パネル用フレキシブル基板４０、接続部５０、及び回路基板６０から構成される。接続部５０を回路基板６０上に差し込むことによって、光源用フレキシブル基板３０とパネル用フレキシブル基板４０とが結合される。
【０００４】
装置の薄型化及び接続信頼性を図るため、他の方法も採用されている。
【０００５】
例えば、光源用フレキシブル基板３０とパネル用フレキシブル基板４０とは、ボンデイング又は半田付けによって、それぞれ回路基板６０と接続される。この構成により、接続部５０を省くことができる。
【０００６】
また、光源用フレキシブル基板３０における印刷配線には、バック光源２０へ電力を供給する電源用配線、パネル用フレキシブル基板４０における印刷配線には、液晶表示パネル１０へ表示信号を供給する信号用配線がそれぞれ配置されている構成も採用される。バック光源２０には、ＬＥＤを用いてもよく、冷陰極蛍光ランプ（Cold Cathode Fluorescent Lamp: CCFL）、又は他の類似する発光体を用いても良い。
【０００７】
図２は、ボンデイング又は半田付けにより、光源用フレキシブル基板３０とパネル用フレキシブル基板４０とを回路基板６０上に結合させた液晶表示モジュールの構成を示す断面図である。
【０００８】
図２に示すように、ボンデイング又は半田付けによって、光源用フレキシブル基板３０とパネル用フレキシブル基板４０とを回路基板６０上に結合させるために、まず、光源用フレキシブル基板３０とパネル用フレキシブル基板４０の各々の一端を、バック光源２０と表示パネル１０の各々に接続させる。続いて、光源用フレキシブル基板３０とパネル用フレキシブル基板４０の他の端部を、図示されていない治具を用いて回路基板６０上に位置合わせをし、精確に両フレキシブル基板を結合させる。両フレキシブル基板を回路基板６０上に結合させた後、両フレキシブル基板を折り曲げて、光源２０の裏側に設置される。
【０００９】
図２に示すように、光源用フレキシブル基板３０とパネル用フレキシブル基板４０の屈曲により、両フレキシブル基板は外へ膨らんでいる。理想的に、光源用フレキシブル基板３０とパネル用フレキシブル基板４０は、図２に示すように、屈曲による突出距離（Ｌ）が同じである。
【００１０】
しかし、光源用フレキシブル基板３０とパネル用フレキシブル基板４０の曲げ半径が異なるので、図３に示すように、光源用フレキシブル基板３０の突出距離は、パネル用フレキシブル基板４０の突出距離より大きい、その差は、Ｌ’である。これにより、多くの空間が使われ、設計が複雑になり、使用上不便である。
【発明の開示】
【発明が解決しようとする課題】
【００１１】
本発明の目的は、簡単な方法及び低いコストで、無駄な空間や使用上の不便を生じないフレキシブル基板を含む液晶表示モジュールを提供することにある。
【課題を解決するための手段】
【００１２】
以上の目的を達成するために、本発明の液晶表示モジュールは、第１のユニットと、第１のユニットの上方に設けられる第２のユニットと、前記第１のユニットの下方に設置され、前記第１のユニットを介して前記第２のユニットと対面し、前記第１のユニットと前記第２のユニットに供給する外部信号を分配する回路基板と、伸縮可能な部分を有する第１のフレキシブル基板であって、弯曲された状態で、前記第１のユニットの信号入力部と前記回路基板の接続部とを接続し、前記回路基板から前記第１のユニット用の前記外部信号を前記第１のユニットへ供給する第１のフレキシブル基板と、弯曲された状態で、前記第２のユニットの信号入力部と前記回路基板の前記接続部とを接続し、前記回路基板から前記第２のユニット用の前記外部信号を前記第２のユニットへ供給する第２のフレキシブル基板とを含む液晶表示モジュールであって、前記回路基板が前記第１のユニットの下方に設置される前に、前記第１のフレキシブル基板は伸張され、前記第２のフレキシブル基板とほぼ同じ長さで、前記第２のフレキシブル基板と共に前記回路基板の前記接続部に結合され、前記回路基板が前記第１のユニットの下方に設置された後に、前記第１のフレキシブル基板は縮まり、前記第１のフレキシブル基板の弯曲の突出は、前記第２のフレキシブル基板の突出とほぼ同じである。
【００１３】
好適に、前記第１のフレキシブル基板における伸縮可能な部分は、コの字状、鋸歯状、中空状、又は、ステージ状のいずれか、又は、これら形状の組み合わせからなる。
【００１４】
好適に、前記第１のフレキシブル基板と前記第２のフレキシブル基板は、高分子材料、又は、ポリエステルからなる。
好適に、前記第１のユニットは、当該液晶表示モジュールにおける液晶表示パネルであり、前記第１のフレキシブル基板に、前記液晶表示パネルに表示信号を送信する信号用配線が配設され、  前記第２のユニットは、当該液晶表示モジュールにおけるバックライトであり、前記第２のフレキシブル基板に、前記バックライトに電力を供給する電源用配線が配設される。或いは、前記第１のユニットは、当該液晶表示モジュールにおけるバックライトであり、前記第１のフレキシブル基板に、前記バックライトに電力を供給する電源用配線が配設され、前記第２のユニットは、当該液晶表示モジュールにおける液晶表示パネルであり、前記第１のフレキシブル基板に、前記液晶表示パネルに表示信号を送信する信号用配線が配設される。
【発明の効果】
【００１５】
本発明によれば、一方のフレキシブル基板が折り曲げられ結合された後に、当該フレキシブル基板両端の距離が結合時により短くなったこと及び当該フレキシブル基板自身の伸縮性により、当該フレキシブル基板は縮まり、長さは短くなる。これにより、当該フレキシブル基板を折り曲げた時に生じる突出の長さが短くなり、他方のフレキシブル基板の突出とほぼ同じになり、無駄な空間の使用が避けられる。
【発明を実施するための最良の形態】
【００１６】
次に、添付した図面を参照しながら、本発明の実施形態を説明する。なお、本発明は以下の実施形態に限定されるものではなく、本発明の趣旨を離脱しない限り、本発明に対するあらゆる変更は本発明の範囲に属する。
【００１７】
本発明のフレキシブル基板は、高分子材料、又は、ポリエステルからなり、それ自身は可撓性を有する。即ち、そのフレキシブル基板をある程度で曲げても、それ自身及びその上に形成された回路は損傷されない。
【００１８】
本発明において、フレキシブル基板を縦方向に伸長可能とし、フレキシブル基板が折り曲げられる前に所定の引っ張る力を加えられ、縦方向に伸長されたままで基板上に固定される。フレキシブル基板が折り曲げられた後に、両端の距離が近付いたこと及びそれ自身の弾性力により、フレキシブル基板は縦方向に縮まる、これにより、フレキシブル基板を折り曲げた時に生じる突出距離が短縮され、無駄な空間の使用を避けられる。
【００１９】
図４は、本発明の実施形態に係るフレキシブル基板３５を示す図である。
【００２０】
図４に示すように、本実施形態において、光源用フレキシブル基板３５は歯状に形成されている。なお、図４において１つの歯状部しか示されていないが、実際に多くの歯状部が連続的又は不連続的に形成されている。このような形状のフレキシブル基板３５が引っ張られると、それは伸長し、図５に示すようになる。
【００２１】
そこで、設計時にフレキシブル基板３５の縦方向の長さ（Ａ）を短く設計し、ボンデイング又は半田付けにより結合を行う時に、フレキシブル基板自身及びその上に形成された回路に損傷を与えない範囲で、フレキシブル基板を所定の長さ（Ｂ、Ｂ＞Ａ）まで伸長し、そして基板上に結合させる。光源用フレキシブル基板３５を折り曲げた後に、両端の距離が近付いたこと及びそれ自身の弾性力により、光源用フレキシブル基板３５は縦方向に縮まり、即ち、縦方向の長さはＢより短くなる。光源用フレキシブル基板３５の両端はすでに固定されているので、従って、光源用フレキシブル基板３５の突出距離は短くなり、パネル用フレキシブル基板の突出距離と略同じになる。
【００２２】
本発明のフレキシブル基板は、図４の形状に限定されない。図６と図７は、他の例を示す。
【００２３】
一般的に、フレキシブル基板を縦方向に伸長可能にすることができれば、いずれの形状でもよい。また、必要に応じて、幾つかの形状の組み合わせを用いてもよい。
【００２４】
また、設計により、パネル用フレキシブル基板の突出距離は、光源用フレキシブル基板の突出距離より大きい場合がある。この場合に、上記の方法と同様に、設計時にパネル用フレキシブル基板の縦方向の長さ（Ａ）を短くしており、ボンデイング又は半田付けにより結合を行う時に、パネル用フレキシブル基板自身及びその上に形成された回路に損傷を与えない範囲で、パネル用フレキシブル基板を所定の長さ（Ｂ、Ｂ＞Ａ）まで伸長し、そして基板上に結合させる。パネル用フレキシブル基板を折り曲げた後に、両端の距離が近付いたこと及びそれ自身の弾性力により、パネル用フレキシブル基板は縦方向に縮まり、即ち、縦方向の長さはＢより短くなる。パネル用フレキシブル基板の両端はすでに固定されているので、従って、長さは短縮することにより、パネル用フレキシブル基板の突出距離は短くなり、光源用フレキシブル基板の突出距離と略同じになる。
【００２５】
本発明の液晶表示モジュールに用いるフレキシブル基板によれば、従来技術における無駄な空間や使用上不便を生じず、フレキシブル基板自身の可撓性を利用し、形状の適切な設計により、フレキシブル基板を弾性により伸長可能にし、本発明の目的を低いコストで容易に達成することができる。
【００２６】
以上の説明に、液晶表示モジュールを例としたが、他のフレキシブル基板を用いる製品についても、本発明を応用することができる。
【００２７】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００２８】
【図１】従来の接続部を用いた液晶表示モジュールを示す図である。
【図２】ボンデイング又は半田付け結合を採用する液晶表示モジュールの構成を示す図である。
【図３】光源用フレキシブル基板とパネル用フレキシブル基板を折り曲げた場合の様子を示す図である。
【図４】本発明の実施形態に係る光源用フレキシブル基板の一例を示す図である。
【図５】本発明の実施形態に係る光源用フレキシブル基板が伸長された場合の様子を示す図である。
【図６】本発明の実施形態に係る光源用フレキシブル基板の第２の例を示す図である。
【図７】本発明の実施形態に係る光源用フレキシブル基板の第３の例を示す図である。
【符号の説明】
【００２９】
１０  液晶表示パネル
２０  ＬＥＤバック光源
３０  光源用フレキシブル基板
４０  パネル用フレキシブル基板
５０  接続部
６０  回路基板
【図１】
0004105664.tif 000002
【図２】
0004105664.tif 000003
【図３】
0004105664.tif 000004
【図４】
0004105664.tif 000005
【図５】
0004105664.tif 000006
【図６】
0004105664.tif 000007
【図７】
0004105664.tif 000008